【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を受信し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示し、
前記受信したＭＡＣ制御要素に従って、前記少なくとも一つのセカンダリ・コンポーネント・キャリアの各々をアクティブ化、又は、非アクティブ化する、
通信方法。
【請求項２】
前記ビットの集合は、１つのオクテットからなる、
請求項１に記載の通信方法。
【請求項３】
前記ビットの集合は、少なくとも一つの未使用のビットを含む、
請求項１又は２に記載の通信方法。
【請求項４】
前記ＭＡＣ制御要素が、特定のセカンダリ・コンポーネント・キャリアがアクティブ化されるべきであるものを示す場合、前記特定のセカンダリ・コンポーネント・キャリアをアクティブ化し、前記特定のセカンダリ・コンポーネント・キャリア上でサウンディング基準信号（ＳＲＳ）の送信を行う、
請求項１から３のいずれかに記載の通信方法。
【請求項５】
前記特定のセカンダリ・コンポーネント・キャリアが非アクティブ化される場合、前記ＳＲＳの送信を行わない、
請求項４に記載の通信方法。
【請求項６】
前記プライマリ・コンポーネント・キャリア及び前記少なくとも一つ以上のセカンダリ・コンポーネント・キャリアの各々は、複数のサブキャリアを含むコンポーネント・キャリアである、
請求項１から５のいずれかに記載の通信方法。
【請求項７】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を受信し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示す、受信部と、
前記受信したＭＡＣ制御要素に従って、前記少なくとも一つのセカンダリ・コンポーネント・キャリアをアクティブ化、又は、非アクティブ化する、アクティブ化部と、
を具備する端末装置。
【請求項８】
前記ビットの集合は、１つのオクテットからなる、
請求項７に記載の端末装置。
【請求項９】
前記ビットの集合は、少なくとも一つの未使用のビットを含む、
請求項７又は８に記載の端末装置。
【請求項１０】
前記ＭＡＣ制御要素が、特定のセカンダリ・コンポーネント・キャリアがアクティブ化されるべきであるものを示す場合、前記アクティブ化部は、前記特定のセカンダリ・コンポーネント・キャリアをアクティブ化し、前記特定のセカンダリ・コンポーネント・キャリア上でサウンディング基準信号（ＳＲＳ）の送信を行う、
請求項７から９のいずれかに記載の端末装置。
【請求項１１】
前記特定のセカンダリ・コンポーネント・キャリアが非アクティブ化される場合、前記送信部は、前記ＳＲＳの送信を行わない、
請求項１０に記載の端末装置。
【請求項１２】
前記プライマリ・コンポーネント・キャリア及び前記少なくとも一つ以上のセカンダリ・コンポーネント・キャリアの各々は、複数のサブキャリアを含むコンポーネント・キャリアである、
請求項７から１１のいずれかに記載の端末装置。
【請求項１３】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を生成し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示し、
前記生成されたＭＡＣ制御要素を送信する、
通信方法。
【請求項１４】
前記ビットの集合は、１つのオクテットからなり、少なくとも一つの未使用のビットを含む、
請求項１３に記載の通信方法。
【請求項１５】
前記ＭＡＣ制御要素が、特定のセカンダリ・コンポーネント・キャリアがアクティブ化されるべきであるものを示す場合、前記ＭＡＣ制御要素は、端末装置に対し、前記特定のセカンダリ・コンポーネント・キャリアをアクティブ化し、前記特定のセカンダリ・コンポーネント・キャリア上でサウンディング基準信号（ＳＲＳ）の送信を行うよう指示するものである、
請求項１３又は１４に記載の通信方法。
【請求項１６】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を生成し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示す生成部と、
前記生成されたＭＡＣ制御要素を送信する送信部と、
を具備する基地局装置。
【請求項１７】
前記ビットの集合は、１つのオクテットからなり、少なくとも一つの未使用のビットを含む、
請求項１６に記載の基地局装置。
【請求項１８】
前記ＭＡＣ制御要素が、特定のセカンダリ・コンポーネント・キャリアがアクティブ化されるべきであるものを示す場合、前記ＭＡＣ制御要素は、端末装置に対し、前記特定のセカンダリ・コンポーネント・キャリアをアクティブ化し、前記特定のセカンダリ・コンポーネント・キャリア上でサウンディング基準信号（ＳＲＳ）の送信を行うよう指示するものである、
請求項１６又は１７に記載の基地局装置。
【請求項１９】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を受信し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示す、受信処理と、
前記受信したＭＡＣ制御要素に従って、前記少なくとも一つのセカンダリ・コンポーネント・キャリアの各々をアクティブ化、又は、非アクティブ化するアクティブ化処理と、
を制御する集積回路。
【請求項２０】
常にアクティブ化されているプライマリ・コンポーネント・キャリアに対して追加される、少なくとも一つのセカンダリ・コンポーネント・キャリアの各々のアクティブ化／非アクティブ化状態を示すビットの集合を含むＭＡＣ制御要素（MAC control element）を生成し、前記少なくとも一つのセカンダリ・コンポーネント・キャリアの各々は、前記ビットの集合に含まれる一つのビットと対応しており、前記一つのビットは対応するセカンダリ・コンポーネント・キャリアがアクティブ化されるべきか又は非アクティブ化されるべきかのいずれかを示す、生成処理と、
前記生成されたＭＡＣ制御要素を送信する送信処理と、
を制御する集積回路。